(57)【特許請求の範囲】
【請求項１】
検出された空間線量率に応じた検出光を発信する検出部を有する空間線量率測定手段を、測定対象空間におけるユーザにより設定された領域である第一測定領域及び第二測定領域に対して前記検出部が前記第一測定領域及び前記第二測定領域に位置するように配置し、前記検出部から発信された前記検出光に基づいて空間線量率を特定することによって、前記第一測定領域及び前記第二測定領域の空間線量率を特定する空間線量率測定システムであって、
前記測定対象空間に相互に重複しない複数の対象領域を設定する領域設定手段と、
前記領域設定手段にて設定された対象領域のうち連続する複数の対象領域の入力を受け付けることによって、ユーザにより設定された前記第一測定領域及び前記第二測定領域の入力を受け付ける入力受付手段であって、前記領域設定手段にて設定された各対象領域の大きさ又は向きの変更を受け付けた場合には、当該変更後の対象領域のうち連続する複数の対象領域の入力を受け付ける入力受付手段と、
前記入力受付手段により入力を受け付けた前記第一測定領域と、当該第一測定領域に対応する連続する複数の対象領域である第一対象領域とを対応付けし、前記入力受付手段により入力を受け付けた前記第二測定領域と、当該第二測定領域に対応する連続する複数の対象領域である第二対象領域とを対応付けし、前記検出部における各対象領域に属する位置から発信された検出光に基づいて、前記各対象領域における空間線量率を特定する対応付け手段であって、前記入力受付手段にて前記各対象領域の大きさ又は向きの変更を受け付けた場合には、前記検出部における大きさ又は向きの変更後の各対象領域に属する位置から発信された検出光に基づいて、前記各対象領域における空間線量率を特定する対応付け手段と、を備え、
前記入力受付手段にて、前記第一測定領域及び前記第二測定領域として、連続する前記対象領域の数又は前記対象領域が連続する方向の少なくとも一方が相互に異なる対象領域の入力が受け付けられた場合、前記対応付け手段は、前記第一対象領域及び前記第二対象領域との相互間において、連続する前記対象領域の数又は前記対象領域が連続する方向の少なくとも一方が異なるように、前記第一対象領域及び前記第二対象領域を対応付けする、
空間線量率測定システム。
【請求項２】
前記測定対象空間の地図又は写真を取得する外観図取得手段と、
前記対応付け手段により特定した各対象領域の空間線量率を、前記外観図取得手段により取得した地図又は写真の対応する位置に重畳表示することにより空間線量率分布図を作成する分布図作成手段と、を備える、
請求項１に記載の空間線量率測定システム。
【請求項３】
所定の数値間隔毎に分類された相互に重複しない複数の空間線量率の区分と、相互に重複しない複数の種類の表示色とを対応付けて記録した区分記録手段を備え、
前記分布図作成手段は、前記空間線量率分布図における各対象領域を、前記対応付け手段により特定された各対象領域における空間線量率に対して前記区分記録手段において対応付けられて記録された前記表示色により表示する、
請求項２に記載の空間線量率測定システム。
【請求項４】
前記領域設定手段は、前記測定対象空間において複数の列及び行を有する碁盤目状に配置された複数の対象領域であって、各対象領域はいずれも同一の幅及び長さを有する正方形状にて形成される複数の対象領域を設定し、
前記入力受付手段にて、前記第一測定領域及び前記第二測定領域として、相互に平行かつ隣接する複数の対象領域の入力が受け付けられた場合、前記対応付け手段は、前記第一対象領域として、前記第一測定領域に対応する複数の対象領域であって、所定の列において列方向に沿って連続する複数の対象領域を対応付けすると共に、前記第二対象領域として、前記第二測定領域に対応する複数の対象領域であって、前記所定の列に隣接する他の列において列方向に沿って連続する複数の対象領域を対応付けし、
前記所定の数値間隔△ｔは、下記条件を満たすように設定される、
△ｔ＜Ａ／｛１＋Ｌ２／（４Ｈ２）｝
（ただし、Ｌ＝各対象領域の幅（ｃｍ）、Ｈ＝各列を構成する各対象領域の幅方向における中央部に沿って配置された前記検出部の地面からの高さ（ｃｍ）、Ａ＝発見対象となる高濃度汚染地点の垂直高さＨでの空間線量率（μＳｖ／ｈ））
請求項３に記載の空間線量率測定システム。
【請求項５】
前記領域設定手段は、前記測定対象空間において複数の列及び行を有する碁盤目状に配置された複数の対象領域であって、各対象領域はいずれも同一の幅及び長さを有する正方形状にて形成される複数の対象領域を設定し、
前記入力受付手段にて、前記第一測定領域及び前記第二測定領域として、相互に平行かつ隣接する複数の対象領域の入力が受け付けられた場合、前記対応付け手段は、前記第一対象領域として、前記第一測定領域に対応する複数の対象領域であって、所定の列において列方向に沿って連続する複数の対象領域を対応付けすると共に、前記第二対象領域として、前記第二測定領域に対応する複数の対象領域であって、前記所定の列に隣接する他の列において列方向に沿って連続する複数の対象領域を対応付けし、
前記各対象領域の幅Ｌ（ｃｍ）、及び各列を構成する各対象領域の幅方向における中央部に沿って配置された前記検出部の地面からの高さＨ（ｃｍ）は、下記条件を満たすように設定される、
Ｌ／Ｈ＝０．５〜６．０
請求項３又は４に記載の空間線量率測定システム。
【請求項６】
前記各対象領域の幅Ｌ（ｃｍ）、及び各列を構成する各対象領域の幅方向における中央部に沿って配置された前記検出部の地面からの高さＨ（ｃｍ）は、下記条件を満たすように設定される、
Ｌ／Ｈ＝１．０〜４．０
請求項５に記載の空間線量率測定システム。
【発明の詳細な説明】
【技術分野】
【０００１】
本発明は、空間線量率測定システムに関する。
【背景技術】
【０００２】
近年、放射能により汚染された地域等（以下、測定対象空間）を対象として空間線量率を測定する空間線量率測定システムが提案されている。このような空間線量率測定システムとしては、一点において放射線を検出するサーベイメーターの如き検出器を用いて空間線量率の測定を行う空間線量率測定システムが提案されていた。当該システムは具体的には、測定者が検出器を所持して測定対象空間における各位置において測定を行い、このように測定した測定位置を特定するための位置情報をＧＰＳ（全地球測位網）により取得することによって、測定位置と当該測定位置における空間線量率を対応付けて特定し、空間線量率の二次元分布を表示するものである。
【０００３】
ここで、上記のシステムによれば、放射線を検出した位置を特定するための位置情報を取得するためにＧＰＳを用いる。したがって、例えば、木や建物の陰となっている位置のようにＧＰＳにより位置情報を取得することができない位置において測定を行う場合には、放射線を検出した位置の正確な位置情報を取得することができない。
【０００４】
一方、線状の範囲において網羅的に放射線を検出するプラスチックシンチレーションファイバー（以下、ＰＳＦ）等を利用した検出器を用いて、空間線量率の測定を行う空間線量率測定システムが提案されている（例えば、非特許文献１参照）。当該システムは具体的には、線状の検出器を水平方向に沿って配置した状態にて台車等に固定し、台車等を一定の速度で検出器の配置方向と直交する方向へ移動させる。そして、ＰＳＦの各位置において発せられた検出光、及び台車等の速度に基づいて、面状の範囲において網羅的に各位置における空間線量率を対応付けて特定することができる。
【先行技術文献】
【非特許文献】
【０００５】
【非特許文献１】日本原子力研究開発機構、福島技術本部、［平成２５年９月１日検索］ＵＲＬ＜http://fukushima.jaea.go.jp/pdf/2012-0528.pdf＞
【発明の概要】
【発明が解決しようとする課題】
【０００６】
ここで、上記の非特許文献１に記載のシステムによれば、台車等の進行方向と速度、線状の検出器の台車等への固定位置に基づいて放射線を検出した位置の位置情報を特定するため、木や建物の陰となっている位置等といったＧＰＳにより位置情報を取得することが困難な位置においても、ＧＰＳの固定位置において正確な位置情報が得られれば、放射線を検出した位置の正確な位置情報を取得することができる。しかし、当該システムによれば、線状の検出器の台車等への固定位置に基づいて放射線を検出した位置の位置情報を特定するため、線状の検出器の台車等への固定位置を測定中に任意に変更することができない。したがって、測定対象空間に台車の移動の障害となる障害物（樹木等）が複数点在している場合や、測定対象空間自体が複雑な形状の敷地である場合等には、台車をスムーズに移動させることが出来ないため、測定に手間を要する場合があった。
【０００７】
本発明は、上記に鑑みてなされたものであって、ＧＰＳにより位置情報を取得することが困難な位置においても放射線を検出した位置を特定することが可能であり、かつ、測定対象空間に障害物が多い場合や、測定対象空間自体が複雑な形状の敷地である場合等に、測定に要する手間の低減を図ることが可能な空間線量率測定システムを提供することを目的とする。
【課題を解決するための手段】
【０００８】
上述した課題を解決し、目的を達成するために、請求項１に記載の空間線量率測定システムは、検出された空間線量率に応じた検出光を発信する検出部を有する空間線量率測定手段を、測定対象空間におけるユーザにより設定された領域である第一測定領域及び第二測定領域に対して前記検出部が前記第一測定領域及び前記第二測定領域に位置するように配置し、前記検出部から発信された前記検出光に基づいて空間線量率を特定することによって、前記第一測定領域及び前記第二測定領域の空間線量率を特定する空間線量率測定システムであって、前記測定対象空間に相互に重複しない複数の対象領域を設定する領域設定手段と、前記領域設定手段にて設定された対象領域のうち連続する複数の対象領域の入力を受け付けることによって、ユーザにより設定された前記第一測定領域及び前記第二測定領域の入力を受け付ける入力受付手段であって、前記領域設定手段にて設定された各対象領域の大きさ又は向きの変更を受け付けた場合には、当該変更後の対象領域のうち連続する複数の対象領域の入力を受け付ける入力受付手段と、前記入力受付手段により入力を受け付けた前記第一測定領域と、当該第一測定領域に対応する連続する複数の対象領域である第一対象領域とを対応付けし、前記入力受付手段により入力を受け付けた前記第二測定領域と、当該第二測定領域に対応する連続する複数の対象領域である第二対象領域とを対応付けし、前記検出部における各対象領域に属する位置から発信された検出光に基づいて、前記各対象領域における空間線量率を特定する対応付け手段であって、前記入力受付手段にて前記各対象領域の大きさ又は向きの変更を受け付けた場合には、前記検出部における大きさ又は向きの変更後の各対象領域に属する位置から発信された検出光に基づいて、前記各対象領域における空間線量率を特定する対応付け手段と、を備え、前記入力受付手段にて、前記第一測定領域及び前記第二測定領域として、連続する前記対象領域の数又は前記対象領域が連続する方向の少なくとも一方が相互に異なる対象領域の入力が受け付けられた場合、前記対応付け手段は、前記第一対象領域及び前記第二対象領域との相互間において、連続する前記対象領域の数又は前記対象領域が連続する方向の少なくとも一方が異なるように、前記第一対象領域及び前記第二対象領域を対応付けする。
【０００９】
また、請求項２に記載の空間線量率測定システムは、請求項１に記載の空間線量率測定システムにおいて、前記測定対象空間の地図又は写真を取得する外観図取得手段と、前記対応付け手段により特定した各対象領域の空間線量率を、前記外観図取得手段により取得した地図又は写真の対応する位置に重畳表示することにより空間線量率分布図を作成する分布図作成手段と、を備える。
【００１０】
また、請求項３に記載の空間線量率測定システムは、請求項２に記載の空間線量率測定システムにおいて、所定の数値間隔毎に分類された相互に重複しない複数の空間線量率の区分と、相互に重複しない複数の種類の表示色とを対応付けて記録した区分記録手段を備え、前記分布図作成手段は、前記空間線量率分布図における各対象領域を、前記対応付け手段により特定された各対象領域における空間線量率に対して前記区分記録手段において対応付けられて記録された前記表示色により表示する。
【００１１】
また、請求項４に記載の空間線量率測定システムは、請求項３に記載の空間線量率測定システムにおいて、前記領域設定手段は、前記測定対象空間において複数の列及び行を有する碁盤目状に配置された複数の対象領域であって、各対象領域はいずれも同一の幅及び長さを有する正方形状にて形成される複数の対象領域を設定し、前記入力受付手段にて、前記第一測定領域及び前記第二測定領域として、相互に平行かつ隣接する複数の対象領域の入力が受け付けられた場合、前記対応付け手段は、前記第一対象領域として、前記第一測定領域に対応する複数の対象領域であって、所定の列において列方向に沿って連続する複数の対象領域を対応付けすると共に、前記第二対象領域として、前記第二測定領域に対応する複数の対象領域であって、前記所定の列に隣接する他の列において列方向に沿って連続する複数の対象領域を対応付けし、前記所定の数値間隔△ｔは、下記条件を満たすように設定される、△ｔ＜Ａ／｛１＋Ｌ２／（４Ｈ２）｝（ただし、Ｌ＝各対象領域の幅（ｃｍ）、Ｈ＝各列を構成する各対象領域の幅方向における中央部に沿って配置された前記検出部の地面からの高さ（ｃｍ）、Ａ＝発見対象となる高濃度汚染地点の垂直高さＨでの空間線量率（μＳｖ／ｈ））。
【００１２】
また、請求項５に記載の空間線量率測定システムは、請求項３又は４に記載の空間線量率測定システムにおいて、前記領域設定手段は、前記測定対象空間において複数の列及び行を有する碁盤目状に配置された複数の対象領域であって、各対象領域はいずれも同一の幅及び長さを有する正方形状にて形成される複数の対象領域を設定し、前記入力受付手段にて、前記第一測定領域及び前記第二測定領域として、相互に平行かつ隣接する複数の対象領域の入力が受け付けられた場合、前記対応付け手段は、前記第一対象領域として、前記第一測定領域に対応する複数の対象領域であって、所定の列において列方向に沿って連続する複数の対象領域を対応付けすると共に、前記第二対象領域として、前記第二測定領域に対応する複数の対象領域であって、前記所定の列に隣接する他の列において列方向に沿って連続する複数の対象領域を対応付けし、前記各対象領域の幅Ｌ（ｃｍ）、及び各列を構成する各対象領域の幅方向における中央部に沿って配置された前記検出部の地面からの高さＨ（ｃｍ）は、下記条件を満たすように設定される、Ｌ／Ｈ＝０．５〜６．０。
【００１３】
また、請求項６に記載の空間線量率測定システムは、請求項５に記載の空間線量率測定システムにおいて、前記各対象領域の幅Ｌ（ｃｍ）、及び各列を構成する各対象領域の幅方向における中央部に沿って配置された前記検出部の地面からの高さＨ（ｃｍ）は、下記条件を満たすように設定される、Ｌ／Ｈ＝１．０〜４．０。
【発明の効果】
【００１４】
請求項１に記載の空間線量率測定システムによれば、第一対象領域と第二対象領域との連続する対象領域の数又は対象領域が連続する方向の少なくとも一方が異なるように第一測定領域及び第二測定領域を設定することが出来るので、測定対象空間の形状や障害物の有無に応じた測定を行うことが可能となり、測定の自由度の向上を図ることが可能となる。
【００１５】
請求項２に記載の空間線量率測定システムによれば、測定対象空間の地図又は写真に空間線量率を重畳表示した空間線量率分布図を作成するので、ユーザに対して測定対象空間の各位置と当該各位置における空間線量率とを対応付けて容易に認識させることが可能となり、測定対象空間の各位置における空間線量率を容易に把握させることが可能となる。
【００１６】
請求項３に記載の空間線量率測定システムによれば、各対象領域を区分記録手段において対応付けられて記録された表示色により表示するので、各対象領域を空間線量率に応じて定められた表示色により表示することが可能となり、ユーザに対して測定対象空間の各位置における空間線量率を一層容易に把握させることが可能となる。
【００１７】
請求項４に記載の空間線量率測定システムによれば、所定の数値間隔Δｔは、Δｔ＜Ａ／｛１＋Ｌ２／（４Ｈ２）｝の条件を満たすように設定されるので、高濃度汚染地点が測定部の相互間に位置する場合であっても、当該高濃度汚染地点の存在が表示色の違いに反映されやすくすることが可能となり、高濃度汚染地点をより発見し易くすることが可能となる。
【００１８】
請求項５に記載の空間線量率測定システムによれば、Ｌ／Ｈ＝０．５〜６．０の条件を満たすようにＬ及びＨを設定するので、１回の測定に要する測定費用及び測定時間を抑制しつつ、二次元平面分布の安定を図ることが可能となる。
【００１９】
請求項６に記載の空間線量率測定システムによれば、Ｌ／Ｈ＝１．０〜４．０の条件を満たすようにＬ及びＨを設定するので、１回の測定に要する測定費用及び測定時間を抑制しつつ、二次元平面分布の安定を図ることが可能となる。
【図面の簡単な説明】
【００２０】
【図１】本発明の実施の形態に係る空間線量率測定システムを概略的に示すブロック図である。
【図２】空間線量率測定システムを構成する各機器の概要図である。
【図３】表示区分ＤＢに格納された情報を示す図である。
【図４】地図にメッシュを重畳表示した際のディスプレイの表示例である。
【図５】各対象領域のサイズを変更した際のディスプレイの表示例である。
【図６】メッシュの角度及び位置の変更を行った際のディスプレイの表示例である。
【図７】地図及びメッシュを拡大表示した際のディスプレイの表示例である。
【図８】対象領域を選択する際のディスプレイの表示例である。
【図９】空間線量率分布図を作成中のディスプレイの表示例を示す図である。
【図１０】第二対象領域を特定した際のディスプレイの表示例を示す図である。
【図１１】測定対象空間全体の空間線量率を示す空間線量率分布図を表示した際のディスプレイの表示例を示す図である。
【図１２】測定時のＰＳＦの配置を概略的に示す斜視図である。
【図１３】測定時のＰＳＦの配置を概略的に示す正面図であり、（ａ）は条件イ、（ｂ）は条件ロを示す図である。
【図１４】Ｌ／ＨとＡ´／Ａの関係を示す図である。
【図１５】Ｈ＝５０ｃｍの場合におけるＬとＡ´／Ａの関係を示す図である。
【図１６】Ｌ／Ｈと１／Ｌの関係を示す図である。
【図１７】Ｌ／Ｈと（Ａ´／Ａ）Ｌの関係を示す図である。
【図１８】本発明に係る実施例の結果を示す図である。
【発明を実施するための形態】
【００２１】
以下に添付図面を参照して、この発明に係る空間線量率測定システムの実施の形態を詳細に説明する。まず、〔Ｉ〕実施の形態の基本的概念を説明した後、〔ＩＩ〕実施の形態の具体的内容について説明し、〔ＩＩＩ〕最後に、実施の形態に対する変形例について説明する。ただし、実施の形態によって本発明が限定されるものではない。
【００２２】
〔Ｉ〕実施の形態の基本的概念
まず、実施の形態の基本的概念について説明する。本実施の形態は、測定対象空間の空間線量率を特定する空間線量率測定システムに関する。ここで、「測定対象空間」とは、空間線量率の測定対象となる空間であって、ユーザによって任意に設定された空間である。なお、この測定対象空間は屋外又は屋内を問わないが、本実施の形態においては、住宅の敷地内を測定対象空間として設定するものとして説明する。
【００２３】
〔ＩＩ〕実施の形態の具体的内容
次に、本発明に係る実施の形態の具体的内容について説明する。
【００２４】
（構成）
最初に、本実施の形態に係る空間線量率測定システム１０の構成について説明する。図１は、本実施の形態に係る空間線量率測定システム１０を概略的に示すブロック図である。また、図２は、空間線量率測定システム１０を構成する各機器の概要図である。これら図１及び図２に示すように、空間線量率測定システム１０は、測定装置２０、及び制御装置３０を備えて構成される。以下では、これら測定装置２０及び制御装置３０の構成について詳細に説明する。
【００２５】
（構成−測定装置）
測定装置２０は、空間線量率を測定する空間線量率測定手段であって、概略的に、検出器２１と、測定器２２とを備えて構成されている。
【００２６】
（構成−測定装置−検出器）
検出器２１は、検出された空間線量率に応じた検出光を発信する検出手段である。具体的には、図２に示すように、ＰＳＦ２１ａと、ＰＳＦ２１ａの両端部に形成される２つの光電子増倍管２１ｂと、を備えて構成される。
【００２７】
ＰＳＦ２１ａは、放射線の検出を行うための光ケーブルであって、放射線が当該ＰＳＦ２１ａのいずれかの位置に照射されると、当該照射された位置にて検出光が発せられる。そして、このように放射線が照射された位置にて発せられた検出光は、ＰＳＦ２１ａの内部を通って、ＰＳＦ２１ａの両端部に形成された光電子増倍管２１ｂへ入射される。また、光電子増倍管２１ｂは、ＰＳＦ２１ａの両端部に形成されており、ＰＳＦ２１ａから入射された検出光を電子に変換し、電子の数を増幅して電流パルスとして後述する測定器２２の制御部２２ｂに対して出力する。
【００２８】
（構成−測定装置−測定器）
測定器２２は、検出器２１と有線ケーブルを介して接続されて検出器２１から送信された電子信号を受信して空間線量率を測定する測定手段であって、概略的に、通信部２２ａと、制御部２２ｂとを備えて構成されている。
【００２９】
通信部２２ａは、検出器２１又は制御装置３０との間で通信を行う通信手段である。具体的には、通信部２２ａは、検出器２１から出力された各種の情報を有線ケーブルを介して受信する。また、測定器２２から出力された各種の情報を有線ケーブルを介して制御装置３０へ送信する。なお、通信の方法は有線に限らず無線であっても構わず、例えば公知のBluetooth（登録商標）により通信を行っても良い。
【００３０】
制御部２２ｂは、測定器２２を制御する測定器制御手段であり、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成されるコンピュータである。特に、制御部２２ｂは、ＰＳＦ２１ａの両端に設けられた２つの光電子増倍管２１ｂから出力された各電子パルスの到達時間差に基づいて、ＰＳＦ２１ａにおける放射線が照射された位置を特定し、電子パルスに基づいて当該各位置における空間線量率を特定する。なお、このような制御部２２ｂの処理については公知であるため、その詳細な説明を省略する。
【００３１】
（構成−制御装置）
制御装置３０は、概略的に、通信部３１、ディスプレイ３２、タッチパネル３３、入力部３４、制御部３５、及びデータ記録部３６を備えて構成されていれる。
【００３２】
通信部３１は、測定器２２との間で通信を行う通信手段である。具体的には、通信部３１は、制御装置３０から出力された各種の情報を有線ケーブルを介して測定器２２へ送信し、測定器２２から出力された各種の情報を有線ケーブルを介して受信する。なお、通信の方法は有線に限らず無線であっても構わず、例えば公知のBluetooth（登録商標）により通信を行っても良い。
【００３３】
ディスプレイ３２は、制御部３５の制御に基づいて各種の画像を表示する表示手段である。このディスプレイ３２は、例えば、公知の液晶ディスプレイや有機ＥＬディスプレイの如きフラットパネルディスプレイを用いて構成されている。
【００３４】
タッチパネル３３は、ユーザによる操作入力を受け付ける操作手段である。このタッチパネル３３は、透明又は半透明状に形成され、ディスプレイ３２の前面において当該ディスプレイ３２の表示面と重畳するように設けられている。このタッチパネル３３としては、例えば抵抗膜方式や静電容量方式等による操作位置検出手段を備えた公知のタッチパネル３３を使用することができる。
【００３５】
入力部３４は、制御装置３０が実行する各種処理に必要な情報を当該制御装置３０に入力する入力手段であり、ここでは、キーボード及びマウスとして構成されている。
【００３６】
制御部３５は、制御装置３０を制御する制御手段である。特に、本実施の形態に係る空間線量率測定プログラムは、任意の記録媒体又はネットワークを介して制御装置３０にインストールされることで、制御部３５の各部を実質的に構成する。この制御部３５は、図１に示すように、領域設定部３５ａ、対応付け部３５ｂ、外観図取得部３５ｃ、及び分布図作成部３５ｄを備えている。
【００３７】
領域設定部３５ａは、測定対象空間に相互に重複しない複数の対象領域Ｅを設定する領域設定手段である。ここで、本実施の形態に係る各種の領域である「測定領域」及び「対象領域」Ｅについて説明する。まず、「測定領域」とは、測定対象空間における一部の領域であって、ユーザが上述した測定装置２０を用いて測定を行う際に、一度の測定において実際に測定が行われる領域である。また、「対象領域」Ｅとは、ユーザによって設定された設定上の領域であって、測定対象空間において相互に重複しない複数の領域であり、具体的には、測定対象空間に設定されたメッシュ（後述する）のうちの一つのセルである。複数の対象領域Ｅは後述する処理において対応する位置の測定領域と対応付けられる。
【００３８】
また、対応付け部３５ｂは、各測定領域と各対象領域Ｅとを対応付けする事により、各測定領域において検出された空間線量率を各対象領域Ｅに対応付けし、各対象領域Ｅにおける空間線量率を特定する対応付け手段である。また、外観図取得部３５ｃは、測定対象空間の地図又は写真を取得する外観図取得手段である。なお、本実施の形態においては後述するデータ記録部３６の地図ＤＢ３６ａを参照してこれらの地図又は写真を取得するものとして説明するが、これに限らず例えば公知のデータセンターから無線により取得しても良い。また、分布図作成部３５ｄは、対応付け部３５ｂにより特定した各対象領域Ｅの空間線量率を、外観図取得部３５ｃにより取得した地図又は写真の対応する位置に重畳表示することにより空間線量率分布図を作成する分布図作成手段である。なお、これら制御部３５を構成する各部によって実行される処理の詳細については後述する。
【００３９】
データ記録部３６は、制御装置３０の動作に必要なプログラム及び各種のデータを記録する記録手段であり、地図ＤＢ３６ａ、及び表示区分ＤＢ３６ｂを備えている。
【００４０】
地図ＤＢ３６ａは、地図情報を格納する地図情報格納手段である。ここで、「地図情報」とは、道路、道路構造物、施設等を含む各種の位置の特定に必要な情報であり、例えば、道路上に設定された各ノードに関するノードデータ（ノード番号、座標）や、道路上に設定された各リンクに関するリンクデータ（リンクＩＤ、リンク名、接続ノード番号、道路座標、道路種別（例えば高速道路、有料道路、国道、都道府県道、市町村道等）、道路情報、地物データ（信号機、道路標識、ガードレール、施設等）、及び地形データ）等、航空写真や地図、及び当該航空写真や地図と対応付けられた住所を含んで構成される。
【００４１】
表示区分ＤＢ３６ｂは、空間線量率の区分と、表示色とを対応付けて記録した区分記録手段である。図３は、表示区分ＤＢ３６ｂに格納された情報を示す図である。この図３に示すように、表示区分ＤＢ３６ｂには、項目「空間線量率の区分」と、項目「表示色」とが相互に対応付けて格納されている。
【００４２】
ここで、項目「空間線量率の区分」に対応付けられて格納される情報は、所定の数値間隔毎に分類された相互に重複しない複数の空間線量率の区分である。なお、空間線量率の区分の数については任意であるが、本実施の形態においては、図３に示すように、０．０００〜０．２３０、０．２３１〜０．４２０、０．４２１〜０．６１０、０．６１１〜０．８００、０．８０１〜０．９９０、０．９９１〜、（単位はいずれも（μＳｖ／ｈ））の計６つの区分を設けるものとして説明する。ここで、各区分（最小の区分及び最大の区分を除く各区分）における上限値から下限値に至る範囲の値を「空間線量率の区分の間隔」Δｔと必要に応じて称して説明する。例えば、本実施の形態においては、最小の区分（すなわち０．０００〜０．２３０の区分）及び最大の区分（すなわち０．９９１〜の区分）を除いて、各区分は０．１９０（μＳｖ／ｈ）毎に均等に区切られているため、空間線量率の区分の間隔Δｔは０．１９０（μＳｖ／ｈ）となる。
【００４３】
また、項目「表示色」に対応付けられて格納される情報は、相互に重複しない複数の種類の表示色であって、この表示色は、空間線量率分布図において各対象領域Ｅの空間線量率を色により識別するためのものである。なお、本実施の形態においては、各区分に対応付けて記録された表示色は、それぞれ、青色、水色、緑色、黄色、赤色、及び紫色であるものとして説明する。
【００４４】
（測定方法）
続いて、このように構成された空間線量率測定システム１０を用いた空間線量率測定方法について説明する。ここで、「ユーザ」とは、当該空間線量率測定システム１０を利用するものであるが、以下では必要に応じて、測定器２２を用いて実際に空間線量率の測定を行う２人の「測定者」と、制御装置３０を操作する「操作者」とに分けて説明する。なお、本実施の形態においては、測定者と操作者が異なる者であるとして説明するが、例えば一方の測定者と操作者は同一の者であっても構わない。なお、以下に示す制御手段の各部が実行する各処理については、例えば制御手段の電源を入れて起動した際等の任意のタイミングにより実行される。
【００４５】
初めに、操作者は、空間線量率の測定対象となる測定対象空間の設定を行う。例えば、操作者が、ディスプレイ３２に表示された入力欄に対して、測定対象空間の住所を入力することにより、当該住所に対応する住宅の敷地が測定対象空間として設定される。
【００４６】
このように操作者によって測定対象空間の設定がされた場合、設定された測定対象空間の地図にメッシュが重畳表示される。図４は、地図にメッシュを重畳表示した際のディスプレイ３２の表示例である。具体的には、まず外観図取得部３５ｃは、地図ＤＢ３６ａを参照して、上述したようにユーザにより設定された測定対象空間を含む地図を取得し、このようにして取得した地図をディスプレイ３２に表示する。なお、図４において、測定対象空間である住宅の敷地境界を点線により図示している。また、本実施の形態では、この際にディスプレイ３２に表示するものは地図であるものとして説明するが、地図以外にも、航空写真等のように測定対象空間を視覚的に一意に特定可能なものであればこれに限定されない。次に、領域設定部３５ａは、メッシュをディスプレイ３２に表示する。このメッシュは、所定の列及び所定の行からなるメッシュであって、このメッシュにおける各セルのそれぞれが対象領域Ｅに該当する。ここで、各対象領域Ｅの大きさ、及びメッシュの列数や行数については任意の初期設定値を用いることができるが、本実施の形態においては、図４に示すように、実寸における５ｍ四方の正方形状の対象領域Ｅを、６行７列に配置するものとして説明する。
【００４７】
次に、操作者は、メッシュを構成する各対象領域Ｅのサイズの変更を行う。図５は、各対象領域Ｅのサイズを変更した際のディスプレイ３２の表示例である。具体的には、操作者がタッチパネル３３に表示されたメッシュをタップ（一本の指で触れる動作）して当該メッシュを選択した後に、メッシュをピンチアウト（二本の指で押し広げるような動作）することにより、メッシュ全体のサイズを変えずに、各対象領域Ｅのサイズのみを一律に拡大してディスプレイ３２に表示することができる。逆に、操作者がタッチパネル３３に表示されたメッシュをタップして当該メッシュを選択した後に、タッチパネル３３をピンチイン（二本の指でつまむような動作）することにより、メッシュ全体のサイズを変えずに、各対象領域Ｅのサイズのみを一律に縮小してディスプレイ３２に表示することができる。そして、操作者は、このようにして対象領域Ｅのサイズを操作者の所望のサイズに変更した後に、タッチパネル３３をピンチアウト又はピンチインする際に抑えていた二本の指をタッチパネル３３から離すことにより、各対象領域Ｅのサイズの変更の決定が受け付けられる。なお、本実施の形態においてはこのようにタッチパネル３３を用いて感覚的に対象領域Ｅのサイズを変更するものとして説明するが、これに限らず、例えばキーボードを用いて直接対象領域Ｅのサイズを入力しても良い。
【００４８】
次に、操作者は、メッシュの角度及び位置の変更を行う。図６は、メッシュの角度及び位置の変更を行った際のディスプレイ３２の表示例である。具体的には、操作者がタッチパネル３３に二本の指を置いて左右に回転させる動作を行うことにより、メッシュを回転させてディスプレイ３２に表示することができ、また、ディスプレイ３２に二本の指を置いたままこれら二本の指を上下左右にスライドさせることにより、メッシュの位置を上下左右に移動させてディスプレイ３２に表示することができる。そして、操作者が、このようにしてメッシュの角度及び位置を操作者の所望の角度及び位置に変更した後に、上記操作を行う際にタッチパネル３３を抑えていた二本の指をタッチパネル３３から離すことにより、メッシュの角度及び位置の変更の決定が受け付けられる。このように、メッシュの角度及び位置を変更することが出来るので、メッシュの方向を測定対象空間における建屋の任意の辺に合わせることが可能となる。したがって、建屋の形状に適応させてメッシュを設定することが可能となり、測定効率の向上を図ることが可能となる。なお、本実施の形態においてはこのようにタッチパネル３３を用いて感覚的にメッシュの角度及び位置の変更を行うものとして説明するが、これに限らず、例えばキーボードを用いて直接メッシュの角度や位置座標を入力しても良い。
【００４９】
次に、操作者は、メッシュを構成する各対象領域Ｅを見易くすべく、ディスプレイ３２に表示された地図及びメッシュを拡大表示させる。図７は、地図及びメッシュを拡大表示した際のディスプレイ３２の表示例である。具体的には、ディスプレイ３２に表示された地図上の一点（メッシュ上を除く一点）をタップして当該地図を選択した後に、タッチパネル３３をピンチインすることにより、地図及びメッシュをディスプレイ３２に拡大表示させることができる。そして、操作者が、このようにして地図及びメッシュの表示を操作者の所望のサイズまで拡大した後に、タッチパネル３３をピンチインする際に抑えていた二本の指をタッチパネル３３から離すことにより、地図及びメッシュの拡大表示の決定が受け付けられる。このように地図及びメッシュを拡大表示することにより、各対象領域Ｅが見やすくなり、さらに後述するように各対象領域Ｅを選択する際の操作性の向上を図ることが可能となる。なお、このような操作を行うまでもなくディスプレイ３２に表示された各対象領域Ｅが十分に見易い場合には、このような操作を省略しても良い。
【００５０】
なお、以上に示した、メッシュを構成する各対象領域Ｅのサイズの変更と、メッシュの角度及び位置の変更と、地図及びメッシュの拡大表示とは、いずれも順不同に実行できる操作であって、操作者は適宜任意の順番に各操作を実行して構わない。
【００５１】
そして、上記のようにディスプレイ３２の表示を設定する各種作業を終えた後に実行する作業について、まずは概略について説明する。まず、操作者は、測定者に測定を行わせる測定領域を決定し、当該決定した測定領域に対して対応付けする複数の対象領域Ｅを選択する。次に、当該決定した測定領域の空間線量率を測定者が測定することにより、決定した測定領域の空間線量率を特定する。次に、対応付け部３５ｂは、決定した測定領域に対応する対象領域Ｅに、当該測定領域の空間線量率を対応付けすることにより、各対象領域Ｅの空間線量率を特定する。最後に、分布図作成部３５ｄは、空間線量率を地図に反映させた空間線量率分布図を作成する。
【００５２】
ここで、本実施の形態においては、上述した測定領域の決定及び測定を、測定対象空間全体に掛けて繰り返し行う。すなわち、測定対象空間には複数の測定領域が設定される事となる。ここで、一つの測定領域と他の測定領域とを区別して説明する必要がある場合については、これらの各測定領域を「第一測定領域」、「第二測定領域」といったように区別して称する。なお、これらを特に区別して説明する必要がない場合については、これらを総称して単に「測定領域」と称して説明する。また、第一測定領域に対して対応付けされる対象領域Ｅと、第二測定領域に対して対応付けされる対象領域Ｅを区別して説明する必要がある場合については、これらの各対象領域Ｅを「第一対象領域」、「第二対象領域」、といったように区別して称する。なお、これらを特に区別して説明する必要がない場合については、これらを総称して単に「対象領域」Ｅと称して説明する。
【００５３】
以下では、上記のようにディスプレイ３２の表示を設定する各種作業を終えた後に実行する作業について詳細に説明する。
【００５４】
まず、操作者は、測定者に測定させる測定領域を決定する。ここで、本実施の形態に係る測定装置２０では、ＰＳＦ２１ａを用いて線状の範囲において空間線量率の測定を行うことが可能であるため、操作者は測定領域として線状の範囲を決定する。例えば、本実施の形態においては、一方向に連続する複数の対象領域Ｅと対応する位置を測定領域として決定する。
【００５５】
次に、操作者は、決定した測定領域に対して対応付けする複数の対象領域Ｅを選択する。図８は、対象領域Ｅを選択する際のディスプレイ３２の表示例である。具体的には、まず、操作者は、複数の対象領域Ｅの中から一つの対象領域Ｅを選択して、タッチパネル３３における当該対象領域Ｅが表示された位置をタップする。なお、このように最初に選択する対象領域Ｅは、線状に決定された測定領域における一方の端部と対応する位置の対象領域Ｅである。以下ではこのように最初に選択した対象領域Ｅを「始点」Ｓと称して説明する。
【００５６】
このようにして操作者によって始点Ｓが設定されると、領域設定部３５ａは、当該始点Ｓを中心とする、ＰＳＦ２１ａの長さ（例えば２０ｍ）と同一の半径を有する正円をディスプレイ３２の地図上に重畳表示する。すなわち、この正円の半径は、ＰＳＦ２１ａを張り巡らすことの可能な最大の距離を示している。そして、次に操作者は、この正円における円内のいずれかの位置に配置された対象領域Ｅを選択して、タッチパネル３３における当該対象領域Ｅが表示された位置をタップする。このようにして二番目に選択する対象領域Ｅは、線状に決定された測定領域における始点Ｓと反対側の端部と対応する位置の対象領域Ｅである。以下ではこのように二番目に選択した対象領域Ｅを「終点」Ｇと称して説明する。すなわち、このように設定された始点Ｓから終点Ｇに至る対象領域Ｅが、上記において決定した測定領域となるように、始点Ｓ及び終点Ｇを設定する。
【００５７】
このようにして対象領域Ｅを設定した後に、上記決定した測定領域において２人の測定者が測定を行う。具体的には、測定者のうち一人が始点Ｓに立ってＰＳＦ２１ａの一方の端部を所持し、他の測定者が終点Ｇに立ってＰＳＦ２１ａの他方の端部を所持する。この際において、地面からＰＳＦ２１ａまでの距離（すなわち後述する高さＨ）を一律にして測定を行う必要があるため、例えば地面が傾斜している場合には、傾斜に沿ってＰＳＦ２１ａが配置されるように各測定者はそれぞれＰＳＦ２１ａの端部を所持する。また、例えば地面が凸型形状となっている場合には、当該凸型形状に沿うようにＰＳＦ２１ａを変形させた状態において固定してＰＳＦ２１ａを配置する。
【００５８】
このようにして、始点Ｓから終点Ｇに至る各対象領域ＥにＰＳＦ２１ａを張り巡らせた状態にし、この状態において測定を開始する（例えば、測定器２２に設けられた測定開始スイッチ（図示省略）を押圧する）。このように測定開始スイッチが押圧されると、測定装置２０は所定時間（例えば、１分間）が経過するまで継続して測定を行う。この測定中において、ＰＳＦ２１ａに放射線が入射された場合には、当該放射線に応じた検出光が光電子増倍管２１ｂに入射されて電子変換され、増倍されて、有線ケーブルを介して測定器２２に取り入れられる。そして、測定器２２の制御部２２ｂは、取り入れられた電子信号に関して各種処理を行う。当該各種処理としては具体的には、まず測定器２２の制御部２２ｂは、ＰＳＦ２１ａにおける一方の端部に設けられた光電子増倍管２１ｂから測定器２２に取り入れられた電流パルスと、ＰＳＦ２１ａにおける他方の端部に設けられた光電子増倍管２１ｂから測定器２２に取り入れられた電流パルスの到達時間を比較する。そして、測定器２２の制御部２２ｂは、この電流パルスの到達時間の比較結果に基づいてＰＳＦ２１ａにおける放射線の入射位置を特定する。また、測定器２２の制御部２２ｂは、各電流パルスの波高に基づいて当該入射位置における空間線量率を特定する。
【００５９】
そして、測定器２２の制御部２２ｂにより特定された入射位置及び当該入射位置における空間線量率は、測定器２２の通信部２２ａを介して制御装置３０に対して送信される。
【００６０】
次に、対応付け部３５ｂは、上記のように測定者が実際に測定を行った測定領域と、操作者が選択した対象領域Ｅとを対応付けする。具体的には、対応付け部３５ｂは、操作者が選択した各対象領域Ｅと、ディスプレイ３２に表示された地図における前記各対象領域Ｅに対して重畳して表示された各位置（すなわち、測定領域）とを相互に対応付けてデータ記録部３６に記録する。なお、対応付けの具体的な手段については任意であるが、例えば各測定領域を一意に特定するための位置座標と、各対象領域Ｅを一意に特定するためのセルＩＤ等とを相互に関連付けて記録しても良い。
【００６１】
最後に、制御装置３０の通信部３１を介して受信した入射位置及び当該入射位置における空間線量率に基づいて、分布図作成部３５ｄは、空間線量率を地図に反映させた空間線量率分布図を作成する。図９は、空間線量率分布図を作成中のディスプレイ３２の表示例を示す図である。
【００６２】
ここで、分布図作成部３５ｄがこの空間線量率分布図を作成する際の具体的な手順について説明する。まず、分布図作成部３５ｄは、上記の作業により特定した、ＰＳＦ２１ａにおける放射線の入射位置及び当該入射位置における空間線量率に基づいて、始点Ｓから終点Ｇに至る各対象領域Ｅの空間線量率を特定する。ここで、「各対象領域Ｅの空間線量率」とは、測定対象空間における各対象領域Ｅと対応する位置の空間線量率であって、その具体的な特定方法については任意であるが、本実施の形態においてはその一例について説明する。まず、ＰＳＦ２１ａには、長さ方向に沿って所定の長さ間隔（例えば１０ｃｍ）置きに測定点が設定されているものと仮定する。そして、分布図作成部３５ｄは、各測定点の長さ方向における前後の所定長さ（例えば前後それぞれ５ｃｍ）において測定された空間線量率の平均値を、当該測定点における測定値として算出する。そして、分布図作成部３５ｄは、各対象領域Ｅにそれぞれ属する複数の測定点（例えば５つの測定点）における各測定値の平均値を算出し、算出された平均値を当該対象領域Ｅの空間線量率として特定する。
【００６３】
次に、分布図作成部３５ｄは、ディスプレイ３２における各対象領域Ｅが表示された位置に、各対象領域Ｅの空間線量率に対応する表示色を表示する。具体的には、分布図作成部３５ｄは、表示区分ＤＢ３６ｂを参照し、特定した対象領域Ｅの空間線量率が表示区分ＤＢ３６ｂにおけるどの表示色に対応するかを特定する。そして、分布図作成部３５ｄはこのように特定した表示色にて各対象領域Ｅを表示する。なお、この際には、表示した地図が透けて見えるような透明度において各表示色を表示することが好ましい。そして、分布図作成部３５ｄは、同様にして始点Ｓから終点Ｇに至る各対象領域Ｅを、当該対象領域Ｅの空間線量率を表す表示色にて表示する。
【００６４】
以上に示すように、測定領域の決定、測定領域と対応する対象領域Ｅの選択、決定した測定領域の測定、決定した測定領域と選択した対象領域Ｅとの対応付け、及び空間線量率分布図の作成を行うことにより、対象領域Ｅに各測定領域の空間線量率を対応付けてディスプレイ３２に表示することができる。ここで、以上においては、第一測定領域に関して実行する作業についてのみ説明したが、第二測定領域に関しても同様に各種作業を実行することができる。このようにして、測定対象空間全体において同様の作業を繰り返すことにより、測定対象空間全体の空間線量率を空間線量率分布図に反映させることができる。
【００６５】
ここで、当該第一対象領域と第二対象領域とは、連続する対象領域Ｅの数又は対象領域Ｅが連続する方向の少なくとも一方が異なっていても構わない。図１０は、第二対象領域を特定した際のディスプレイ３２の表示例を示す図である。すなわち、本実施の形態においては、第一対象領域を設定する際には、図８に示すように東方向に沿って連続する１８つの対象領域Ｅを第一対象領域として設定したが、第二対象領域を設定する際には、図１０に示すように北方向に沿って連続する５つの対象領域Ｅを第二対象領域として設定しても良い。具体的には、始点Ｓを設定して当該始点Ｓを中心とする正円がディスプレイ３２に表示された際に、北方向に連続する５つ目の対象領域Ｅをタップすることにより、このような第二対象領域の設定が可能である。
【００６６】
図１１は、測定対象空間全体の空間線量率を示す空間線量率分布図を表示した際のディスプレイ３２の表示例を示す図である。この図１１に示すように、以上に記載した各作業を測定対象空間全体について実行することにより、測定対象空間全体における空間線量率の特定を行う。なお、図１１に示すように、空間線量率分布図に加えて、表示区分ＤＢ３６ｂを参照して、空間線量率の区分と表示色とを対応付けて記載した凡例をディスプレイ３２に表示することにより、ユーザに対して各位置における空間線量率を容易に把握させることが可能となる。
【００６７】
（設定条件）
次に、このような空間線量率測定システム１０に関して最適な測定を行うための設定条件について説明する。すなわち、本実施の形態においては、最適な測定を行うために、ホットスポット見逃し防止条件、二次元平面分布安定条件、及び経済性条件の３つの条件を考慮して上述した各種作業を行う。以下では、これら３つの条件について詳細に説明する。
【００６８】
（設定条件−ホットスポット見逃し防止条件）
まずは、ホットスポット見逃し防止条件について説明する。当該条件は、本実施の形態に係る空間線量率測定システム１０を用いた測定において、発見対象となる高濃度汚染地点（以下、ホットスポットＨＳと称する）を発見し逃してしまう可能性を低減するために考慮されるべき条件である。なお、どの程度の空間線量率を有する地点をホットスポットＨＳと定めるかについては任意であるが、例えば、環境省が示す汚染状況重点調査地域の要件（平成２５年９月現在）である０．２３（μＳｖ／ｈ）（すなわち、追加被ばく線量１（ｍＳｖ／年間）に対応する０．１９（μＳｖ／ｈ）に対して、自然被ばく線量０．０４（μＳｖ／ｈ）を加えた値）以上の空間線量率を有する地点をホットスポットＨＳと定めても良い。なお、本実施の形態においては、距離Ｈで空間線量率Ａを与える点線源をホットスポットＨＳと定めて、このようなホットスポットＨＳを当該空間線量率測定システム１０により発見することが可能な設定条件について説明する。
【００６９】
ここで、図１２は、測定時のＰＳＦ２１ａの配置を概略的に示す斜視図である。図１３は、測定時のＰＳＦ２１ａの配置を概略的に示す正面図であり、（ａ）は条件イ、（ｂ）は条件ロを示す図である。ここで、以下の説明において、図１２及び図１３に示すＸ方向を横方向、Ｙ方向を縦方向、Ｚ方向を高さ方向と必要に応じて称して説明する。この図１２及び図１３に示すように、本実施の形態においては、ＰＳＦ２１ａが測定対象空間の地面の上方の位置、かつ対象領域Ｅの横方向における中央部を通るように、複数の対象領域Ｅに架けて連続的に配置される。ここで、以下ではＰＳＦ２１ａが配置される高さをＨ（ｃｍ）で表し、対象領域Ｅの幅（すなわち、ＰＳＦ２１ａ同士の距離）をＬ（ｃｍ）で表す。なお、図１２及び図１３においては、図示の便宜上、一回目、二回目、及び三回目の測定において測定対象空間に配置するＰＳＦ２１ａを同一の図に図示しているが、実際にはこれらの各ＰＳＦ２１ａは各回の測定毎に時間間隔を置いて配置される。
【００７０】
ここで、「条件イ」とは、ホットスポットＨＳがＰＳＦ２１ａの相互間の位置の真下に位置している場合であり、すなわちＰＳＦ２１ａからホットスポットＨＳに至る距離が最も大きく、ホットスポットＨＳが最も発見し辛い位置にある場合を想定した条件である。また、「条件ロ」とは、ホットスポットＨＳがいずれかのＰＳＦ２１ａの真下に位置している場合であり、すなわちＰＳＦ２１ａからホットスポットＨＳに至る距離が最も小さく、ホットスポットＨＳが最も発見し易い位置にある場合を想定した条件である。つまり、当該ホットスポット見逃し防止条件とは、条件イのようなホットスポットＨＳの配置においても、ホットスポットＨＳの存在が空間線量率分布図に反映され易くするための条件である。
【００７１】
まず、空間線量率は線源からの距離の２乗に反比例するので、距離Ｈで空間線量率Ａを与える点線源の、距離Ｘにおける空間線量率Ａ´は、下記式（１）で表すことができる。
Ａ´＝（Ｈ２／Ｘ２）Ａ
＝｛Ｈ２／（Ｌ２／４＋Ｈ２）｝Ａ・・・式（１）
ここで、空間線量率の区分の間隔Δｔ（μＳｖ／ｈ）において、Δｔ＜Ａ´の条件を満たすようにΔｔを設定することにより、ホットスポットＨＳが最も発見し難い条件（すなわち条件イ）であっても、空間線量率分布図における表示色の違いとして表れる。これを式に表すと、下記式（２）で表すことができる。
Δｔ＜Ａ´
Δｔ＜｛Ｈ２／（Ｌ２／４＋Ｈ２）｝Ａ
＜Ａ／｛１＋Ｌ２／（４Ｈ２）｝・・・式（２）
このように、式（２）を満たすようにΔｔを設定することで、ユーザは空間線量率分布図を視認することによって、当該空間線量率分布図に表示された表示色の違いによりホットスポットＨＳを認識することが可能となる。よって、ユーザがホットスポットＨＳを見逃してしまう可能性を低減させることが可能となる。
【００７２】
（設定条件−二次元平面分布安定条件）
次に、二次元平面分布安定条件について説明する。ここで、「二次元平面分布安定条件」とは、二次元平面分布を安定させるための条件であり、要するに、ホットスポットＨＳの位置に関わらず、作成される空間線量率分布図を近似させるために考慮されるべき条件である。具体的には、ホットスポットＨＳを最も検出し難い条件（すなわち条件（イ））において測定装置２０にて測定される空間線量率Ａ´と、最も検出し易い条件（すなわち条件（ロ））において測定装置２０にて測定される空間線量率Ａとの差を小さくするための条件である。ここで、上記式（１）より、空間線量率Ａ´と空間線量率Ａとの比Ａ´／Ａは、下記式（３）により表すことができる。
Ａ´／Ａ＝Ｈ２／（Ｌ２／４＋Ｈ２）
＝１／｛１＋（１／４）（Ｌ／Ｈ）２｝・・・式（３）
【００７３】
ここで、式（３）より、空間線量率Ａ´と空間線量率Ａとの差を小さくするためには（すなわち、比Ａ´／Ａを１に近づけるためには）、Ｌ／Ｈを小さくする必要があることが分かる。図１４は、Ｌ／ＨとＡ´／Ａの関係を示す図である。この図１４からも明らかであるように、Ｌ／Ｈが小さい程、Ａ´／Ａが１により近づき、二次元平面分布を安定させることができる。また、図１５は、Ｈ＝５０ｃｍの場合におけるＬとＡ´／Ａの関係を示す図である。この図１５に示すように、例えばＨ＝５０ｃｍの場合には、Ｌ＝１０ｃｍのときにＡ´／Ａ＝０．９９となり、Ｌ＝５０ｃｍのときにＡ´／Ａ＝０．８となり、Ｌ＝１００ｃｍのときにＡ´／Ａ＝０．５となる。すなわち、二次元平面分布安定条件についてのみを考慮するのであれば、Ｌは小さい程好ましい。
【００７４】
（設定条件−経済性条件）
次に経済性条件について説明する。ここで、「経済性条件」とは、測定対象空間全体の測定を行うために要する測定時間や測定コストを低減させるために考慮されるべき条件である。すなわち、上述した二次元平面分布安定条件のみを考慮するのであれば、Ｌは小さい程好ましいが、Ｌを小さくすると、測定対象空間において空間線量率を測定する回数が多くなってしまう。そのため、測定時間や測定コストが多大となってしまい、実用性に欠ける。したがって、このような測定時間や測定コストを低減させるための条件の設定について以下では説明する。
【００７５】
まず、ＰＳＦ２１ａの長さを２０（ｍ）、各測定領域の横幅をＬ（ｃｍ）とすると、１回の測定で空間線量率を測定することのできる範囲の面積は２０×（Ｌ／１００）（ｍ２／回）となる。そして、１回の測定あたりのコスト係数をｋ（円／回）とすると、単位面積あたりの測定コストＣ（円／ｍ２）は、下記式（４）で表すことができる。
Ｃ＝ｋ÷（２０Ｌ／１００）
＝１００ｋ／（２０Ｌ）・・・・式（４）
【００７６】
ここで、二次元平面分布安定条件の指標であるＡ´／Ａは大きい方が望ましく、経済性条件の指標であるＣは小さい方が望ましいので、二次元平面分布安定条件と経済性条件とを合わせた指標をＲとして下記式（５）で表す。
Ｒ＝（Ａ´／Ａ）×（１／Ｃ）
＝（Ａ´／Ａ）×（２０Ｌ）／（１００ｋ）
＝２０／（１００ｋ）（Ａ´／Ａ）Ｌ
＝Ｋ（Ａ´／Ａ）Ｌ・・・・式（５）  （ただし、Ｋは定数）
【００７７】
ここで、図１６は、Ｌ／Ｈと１／Ｌの関係を示す図である。また、図１７は、Ｌ／Ｈと（Ａ´／Ａ）Ｌの関係を示す図である。ここで、Ｌ／Ｈが０．５〜６．０となるようにＬ及びＨを設定することにより、（Ａ´／Ａ）Ｌ、すなわちＲ／Ｋが３０以上となり、二次元平面分布安定条件及び経済性条件の観点から優れた測定を実施することが可能となる。さらに、Ｌ／Ｈが１．０〜４．０となるようにＬ及びＨを設定することにより、（Ａ´／Ａ）Ｌ、すなわちＲ／Ｋが４０以上となり、二次元平面分布安定条件及び経済性条件の観点から一層優れた測定を実施することが可能となる。
【００７８】
（実施例）
次に、上記に示す二次元平面分布安定条件に基づいて構成された空間線量率測定システム１０の作用効果を、実施例を挙げて説明する。まず、本実施例においては、測定対象空間のいずれかの位置に発見対象となるホットスポットＨＳと同等の空間線量率の放射線を発するＣｓ１３４、Ｃｓ１３７の濃度比１：２、放射性Ｃｓ合計放射能量１４０万Ｂｑの放射線源を収納した容器（以下、放射線容器）を配置し、Ｌ及びＨを適宜変更して測定を行い空間線量率分布図を作成した。具体的には、３ｍ×３ｍの測定対象空間に、Ｌ＝１０ｃｍ、かつＨ＝５０ｃｍのパターンＡと、Ｌ＝５０ｃｍ、かつＨ＝５０ｃｍのパターンＢと、Ｌ＝１００ｃｍ、かつＨ＝５０ｃｍのパターンＣと、Ｌ＝１００ｃｍ、かつＨ＝１０ｃｍのパターンＤの、Ｌ／Ｈがそれぞれ０．２、１、２、１０となる４種類のパターンについて、上記条件（イ）の及び条件（ロ）の２種類の条件において、Δｔ＝０．１（μＳｖ／ｈ）として空間線量率分布図を作成した。図１８は、本実施例の結果を示す図である。この図１８において放射線容器の位置を二重円で示している。
【００７９】
まず、パターンＡにおいては、Ａ´／Ａ＝０．９９であり、非常に１に近似した高い値となるため、条件（イ）及び条件（ロ）のいずれにおいても近似した空間線量率分布図を得ることが出来る。しかし、測定時間が６３分と長くなっている。パターンＢにおいては、Ａ´／Ａ＝０．８０であり、パターンＡと比べると低い値となるが、条件（イ）及び条件（ロ）における空間線量率分布図の違いはわずかである。測定時間は１４分とパターンＡに比べて短くなっている。パターンＣにおいては、Ａ´／Ａ＝０．５０であり、パターンＢに比べてさらに低い値となっており、条件（イ）及び条件（ロ）において空間線量率分布図に相違が生じている。具体的には、パターンＣの条件（ロ）においては、ホットスポットＨＳの位置に対応する対象領域Ｅが橙色の表示色により表示されているにも関わらず、パターンＣの条件（イ）においては、ホットスポットＨＳの位置に対応する対象領域Ｅが緑色の表示色で表示されており、条件（イ）と条件（ロ）は空間線量率の区分が３段階異なっている。また、測定時間は７分とパターンＢに比べてさらに短くなっている。パターンＤにおいては、測定時間はパターンＣとほぼ同じであるが、Ａ´／Ａ＝０．０３８とパターンＣに比べてさらに低くなっており、条件（イ）及び条件（ロ）にいて空間線量率分布図に相違が生じている。具体的には、パターンＤの条件（ロ）においては、ホットスポットＨＳの位置に対応する対象領域Ｅが赤色の表示色（すなわち最大区分の表示色）により表示されており、パターンＤの条件（イ）においては、ホットスポットＨＳの位置に対応する対象領域Ｅが黄緑色の表示色で表示されており、条件（イ）と条件（ロ）は空間線量率の区分が表示色として３段階異なっている。なお、図１８において０．９１（μＳｖ／ｈ）以上の空間線量率の対象領域Ｅは全て赤色の表示色により表示されるものとしたため、当該ホットスポットＨＳの位置に対応する対象領域Ｅは赤色の表示色により表示されているが、実際には当該対象領域Ｅの空間線量率は０．９１（μＳｖ／ｈ）よりも遥かに高く、条件（イ）と条件（ロ）とでは、空間線量率の区分の間隔Δｔ（μＳｖ／ｈ）を基準として１１段階異なっていた。
【００８０】
以上の実施例により、Ａ´／Ａの値が１に近い値となるようにＬ及びＨを設定することにより、二次元平面分布を安定させることができる。また、Ｌが大きくなるほど（１／Ｌが小さくなるほど）測定時間が短くなり、経済性条件が良くなり、（Ａ´／Ａ）Ｌが大きくなるようにＬ及びＨを設定することにより、二次元平面分布を安定させ、かつ経済性条件の良い測定を実施することができることが分かる。
【００８１】
（実施の形態の効果）
このように、本実施の形態に係る空間線量率測定システム１０によれば、第一対象領域と第二対象領域との連続する対象領域Ｅの数又は対象領域Ｅが連続する方向の少なくとも一方が異なるように第一測定領域及び第二測定領域を設定することが出来るので、測定対象空間の形状や障害物の有無に応じた測定を行うことが可能となり、測定の自由度の向上を図ることが可能となる。
【００８２】
また、測定対象空間の地図又は写真に空間線量率を重畳表示した空間線量率分布図を作成するので、ユーザに対して測定対象空間の各位置と当該各位置における空間線量率とを対応付けて容易に認識させることが可能となり、測定対象空間の各位置における空間線量率を容易に把握させることが可能となる。
【００８３】
また、各対象領域Ｅを表示区分ＤＢ３６ｂにおいて対応付けられて記録された表示色により表示するので、各対象領域Ｅを空間線量率に応じて定められた表示色により表示することが可能となり、ユーザに対して測定対象空間の各位置における空間線量率を一層容易に把握させることが可能となる。
【００８４】
また、所定の数値間隔Δｔは、Δｔ＜Ａ／｛１＋Ｌ２／（４Ｈ２）｝の条件を満たすように設定されるので、高濃度汚染地点が測定部の相互間に位置する場合であっても、当該高濃度汚染地点の存在が表示色の違いに反映されやすくすることが可能となり、高濃度汚染地点をより発見し易くすることが可能となる。
【００８５】
また、Ｌ／Ｈ＝０．５〜６．０の条件を満たすようにＬ及びＨを設定するので、１回の測定に要する測定費用及び測定時間を抑制しつつ、二次元平面分布の安定を図ることが可能となる。
【００８６】
また、Ｌ／Ｈ＝１．０〜４．０の条件を満たすようにＬ及びＨを設定するので、１回の測定に要する測定費用及び測定時間を抑制しつつ、二次元平面分布の安定を図ることが可能となる。
【００８７】
〔ＩＩＩ〕各実施の形態に対する変形例
以上、本発明に係る各実施の形態について説明したが、本発明の具体的な構成及び手段は、特許請求の範囲に記載した各発明の技術的思想の範囲内において、任意に改変及び改良することができる。以下、このような変形例について説明する。
【００８８】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。例えば、測定の自由度が従来と同程度に留まる場合であっても、従来と異なるシステムによって空間線量率の測定の自由度の向上を達成できている場合には、本発明の課題は解決されている。
【００８９】
（寸法や材料について）
発明の詳細な説明や図面で説明した空間線量率測定システム１０の各部の寸法、形状、比率等は、あくまで例示であり、その他の任意の寸法、形状、比率等とすることができる。
【００９０】
（測定作業の順序について）
本実施の形態においては、対象領域Ｅを設定した後に、設定した対象領域Ｅと対応する位置の測定領域において測定者が実際に測定を行うものとして説明したが、これらの順序は逆であっても構わない。すなわち、測定領域において測定者が実際に測定を行い、測定を行った測定領域と対応する対象領域Ｅを操作者がタッチパネル３３を操作することにより特定しても良い。
【００９１】
また、第一測定領域について測定を行った後に、第二測定領域について測定を行うものとして説明したが、これに限定されない。例えば、複数のＰＳＦ２１ａを測定器２２に対して接続し、第一測定領域と第二測定領域とに関する測定を同時に実行しても良い。
【００９２】
（各対象領域の空間線量率について）
また、本実施の形態においては、各測定点における測定値の平均値を対象領域Ｅの空間線量率として特定するものとして説明したが、これに限定されない。例えば、対象領域Ｅに属する複数の測定点における最大値を当該対象領域Ｅの空間線量率として特定しても良い。
【００９３】
（メッシュの角度の回転について）
また、本実施の形態においては、ディスプレイ３２に表示させたメッシュを操作者が二本の指で回転させる動作を行うことにより、住宅における任意の辺に合わせて回転させたが、これに限定されない。例えば、地図ＤＢ３６ａを参照して住宅の基準線を取得し、この基準線に合致するように自動的にメッシュの角度を調整するようにしても良い。このように自動的にメッシュの角度を回転させることが可能となるので、メッシュの角度を操作者が調整する手間を削減することが可能となる。
【００９４】
（対象領域が連続する方向について）
また、本実施の形態においては、第一対象領域や第二対象領域における対象領域Ｅが連続する方向は一方向であるものとして説明したが、これに限定されない。例えば、対象領域Ｅは途中で方向転換するように設定してもよく、これと対応するように、測定者が測定を行う際にも、ＰＳＦ２１ａを途中で折り曲げて測定を行っても良い。
【００９５】
（設定条件について）
また、本実施の形態においては、ホットスポット見逃し防止条件、二次元平面分布安定条件、及び経済性条件の３つの条件をすべて考慮するものとして説明したが、これに限定されない。すなわち、これらの条件のうち、いずれか、または全てを考慮せずに各種条件の設定を行っても良い。
【００９６】
（付記）
付記１に記載の空間線量率測定システムは、検出された空間線量率に応じた検出光を発信する検出部を有する空間線量率測定手段を、測定対象空間におけるいずれかの領域である第一測定領域及び第二測定領域に対して前記検出部が前記第一測定領域及び前記第二測定領域に位置するように配置し、前記検出部から発信された前記検出光に基づいて当該検出部の位置における空間線量率を特定することによって、前記第一測定領域及び前記第二測定領域の空間線量率を特定する空間線量率測定システムであって、前記測定対象空間に相互に重複しない複数の対象領域を設定する領域設定手段と、前記第一測定領域と、前記領域設定手段により設定された複数の対象領域のうち連続する複数の対象領域である第一対象領域とを対応付けすると共に、前記第二測定領域と、前記領域設定手段により設定された複数の対象領域のうち前記第一対象領域とは少なくとも一部において異なる連続する複数の対象領域である第二対象領域とを対応付けすることによって、各対象領域における空間線量率を特定する対応付け手段と、を備え、前記対応付け手段は、前記第一対象領域と前記第二対象領域との相互間において、連続する前記対象領域の数又は前記対象領域が連続する方向の少なくとも一方が異なるように、前記第一対象領域及び前記第二対象領域を対応付けする。
【００９７】
また、付記２に記載の空間線量率測定システムは、付記１に記載の空間線量率測定システムにおいて、前記測定対象空間の地図又は写真を取得する外観図取得手段と、前記対応付け手段により特定した各対象領域の空間線量率を、前記外観図取得手段により取得した地図又は写真の対応する位置に重畳表示することにより空間線量率分布図を作成する分布図作成手段と、を備える。
【００９８】
また、付記３に記載の空間線量率測定システムは、付記２に記載の空間線量率測定システムにおいて、所定の数値間隔毎に分類された相互に重複しない複数の空間線量率の区分と、相互に重複しない複数の種類の表示色とを対応付けて記録した区分記録手段と、前記分布図作成手段は、前記空間線量率分布図における各対象領域を、前記対応付け手段により特定された各対象領域における空間線量率に対して前記区分記録手段において対応付けられて記録された前記表示色により表示する。
【００９９】
また、付記４に記載の空間線量率測定システムは、付記３に記載の空間線量率測定システムにおいて、前記領域設定手段は、前記測定対象空間において複数の列及び行を有する碁盤目状に配置された複数の対象領域であって、各対象領域はいずれも同一の幅及び長さを有する正方形状にて形成される複数の対象領域を設定し、前記対応付け手段は、所定の列において列方向に沿って連続する複数の対象領域として設定された前記第一対象領域を前記第一測定領域と対応付けすると共に、当該所定の列に隣接する他の列において列方向に沿って連続する複数の対象領域として設定された前記第二対象領域を前記第二測定領域と対応付けし、前記所定の数値間隔Δｔは、下記条件を満たすように設定される、Δｔ＜Ａ／｛１＋Ｌ２／（４Ｈ２）｝（ただし、Ｌ＝各対象領域の幅（ｃｍ）、Ｈ＝各列を構成する各対象領域の幅方向における中央部に沿って配置された前記検出部の地面からの高さ（ｃｍ）、Ａ＝発見対象となる高濃度汚染地点の垂直高さＨでの空間線量率（μＳｖ／ｈ））。
【０１００】
また、付記５に記載の空間線量率測定システムは、付記３又は４に記載の空間線量率測定システムにおいて、前記領域設定手段は、前記測定対象空間において複数の列及び行を有する碁盤目状に配置された複数の対象領域であって、各対象領域はいずれも同一の幅及び長さを有する正方形状にて形成される複数の対象領域を設定し、前記対応付け手段は、所定の列において列方向に沿って連続する複数の対象領域として設定された前記第一対象領域を前記第一測定領域と対応付けすると共に、当該所定の列に隣接する他の列において列方向に沿って連続する複数の対象領域として設定された前記第二対象領域を前記第二測定領域と対応付けし、前記各対象領域の幅Ｌ（ｃｍ）、及び各列を構成する各対象領域の幅方向における中央部に沿って配置された前記検出部の地面からの高さＨ（ｃｍ）は、下記条件を満たすように設定される、Ｌ／Ｈ＝０．５〜６．０。
【０１０１】
また、付記６に記載の空間線量率測定システムは、付記５に記載の空間線量率測定システムにおいて、前記各対象領域の幅Ｌ（ｃｍ）、及び各列を構成する各対象領域の幅方向における中央部に沿って配置された前記検出部の地面からの高さＨ（ｃｍ）は、下記条件を満たすように設定される、Ｌ／Ｈ＝１．０〜４．０。
【０１０２】
（付記の効果）
付記１に記載の空間線量率測定システムによれば、第一対象領域と第二対象領域との連続する対象領域の数又は対象領域が連続する方向の少なくとも一方が異なるように第一測定領域及び第二測定領域を設定することが出来るので、測定対象空間の形状や障害物の有無に応じた測定を行うことが可能となり、測定の自由度の向上を図ることが可能となる。
【０１０３】
付記２に記載の空間線量率測定システムによれば、測定対象空間の地図又は写真に空間線量率を重畳表示した空間線量率分布図を作成するので、ユーザに対して測定対象空間の各位置と当該各位置における空間線量率とを対応付けて容易に認識させることが可能となり、測定対象空間の各位置における空間線量率を容易に把握させることが可能となる。
【０１０４】
付記３に記載の空間線量率測定システムによれば、各対象領域を区分記録手段において対応付けられて記録された表示色により表示するので、各対象領域を空間線量率に応じて定められた表示色により表示することが可能となり、ユーザに対して測定対象空間の各位置における空間線量率を一層容易に把握させることが可能となる。
【０１０５】
付記４に記載の空間線量率測定システムによれば、所定の数値間隔Δｔは、Δｔ＜Ａ／｛１＋Ｌ２／（４Ｈ２）｝の条件を満たすように設定されるので、高濃度汚染地点が測定部の相互間に位置する場合であっても、当該高濃度汚染地点の存在が表示色の違いに反映されやすくすることが可能となり、高濃度汚染地点をより発見し易くすることが可能となる。
【０１０６】
付記５に記載の空間線量率測定システムによれば、Ｌ／Ｈ＝０．５〜６．０の条件を満たすようにＬ及びＨを設定するので、１回の測定に要する測定費用及び測定時間を抑制しつつ、二次元平面分布の安定を図ることが可能となる。
【０１０７】
付記６に記載の空間線量率測定システムによれば、Ｌ／Ｈ＝１．０〜４．０の条件を満たすようにＬ及びＨを設定するので、１回の測定に要する測定費用及び測定時間を抑制しつつ、二次元平面分布の安定を図ることが可能となる。
【符号の説明】
【０１０８】
１０  空間線量率測定システム
２０  測定装置
２１  検出器
２１ａ  ＰＳＦ
２１ｂ  光電子増倍管
２２  測定器
２２ａ  通信部
２２ｂ  制御部
３０  制御装置
３１  通信部
３２  ディスプレイ
３３  タッチパネル
３４  入力部
３５  制御部
３５ａ  領域設定部
３５ｂ  対応付け部
３５ｃ  外観図取得部
３５ｄ  分布図作成部
３６  データ記録部
３６ａ  地図ＤＢ
３６ｂ  表示区分ＤＢ
Ｅ  対象領域
Ｇ  終点
ＨＳ  ホットスポット
Ｓ  始点
【要約】
【課題】ＧＰＳを用いることなく放射線を検出した位置を特定することが可能であり、かつ、測定対象空間に障害物が多い場合等であっても測定に要する手間の低減を図ることが可能な、空間線量率測定システムを提供すること。
【解決手段】空間線量率測定システム１０は、測定装置２０のＰＳＦが第一測定領域及び第二測定領域に位置するように配置する空間線量率測定システム１０であって、測定対象空間に複数の対象領域を設定する領域設定部３５ａと、第一測定領域と、第一対象領域とを対応付けすると共に、第二測定領域と、第二対象領域とを対応付けすることによって、各対象領域における空間線量率を特定する対応付け部３５ｂと、を備え、対応付け部３５ｂは、第一対象領域と第二対象領域との相互間において、連続する対象領域の数又は対象領域が連続する方向の少なくとも一方が異なるように、第一対象領域及び第二対象領域を対応付けする。
【選択図】図１【図１】
0005547841.tif 000002
【図２】
0005547841.tif 000003
【図３】
0005547841.tif 000004
【図４】
0005547841.tif 000005
【図５】
0005547841.tif 000006
【図６】
0005547841.tif 000007
【図７】
0005547841.tif 000008
【図８】
0005547841.tif 000009
【図９】
0005547841.tif 000010
【図１０】
0005547841.tif 000011
【図１１】
0005547841.tif 000012
【図１２】
0005547841.tif 000013
【図１３】
0005547841.tif 000014
【図１４】
0005547841.tif 000015
【図１５】
0005547841.tif 000016
【図１６】
0005547841.tif 000017
【図１７】
0005547841.tif 000018
【図１８】
0005547841.tif 000019